(57)【要約】【課題】合成樹脂の利点を生かしながら、装置の大型を避けることが可能な指針式計器を提供する。【解決手段】指針３と、この指針３の移動経路に沿って配列された指標部１２を有する指標板１と、指標部１２の配列形状に沿って延長形成され、指針３を支持する移動部材２と、この移動部材２を介して指針３を移動し、指標部１２を指示させる駆動装置５と、移動部材２を移動可能に支持するペース部材４とを備えており、ベース部材４が金属製板材からなる母材部４１とこの母材部４１を部分的に被覆する合成樹脂部４２とを有する複合体からなり、合成樹脂部４２により移動部材２を支持する支持部４２ａと、移動部材２を支持するための支持部材８ａ，８ｂを支承する支承部４２ｂを形成した。【選択図】図２
2006038801.tif 000002
【特許請求の範囲】
【請求項１】
指針と、
この指針の移動経路に沿って配列された指標部を有する指標板と、
前記指針を支持する移動部材と、
この移動部材を介して前記指針を移動させる駆動装置と、
前記移動部材を移動可能に支持するベース部材とを備え、
前記ベース部材が金属製板材からなる母材とこの母材を部分的に被覆する合成樹脂との複合体からなり、前記合成樹脂部分により前記移動部材を支持する支持部あるいは前記移動部材を支持するための支持部材を支承する支承部の少なくとも一方が形成されることを特徴とする指針式計器。
【請求項２】
前記母材の外周を折り曲げて補強部を設けたことを特徴とする請求項１記載の指針式計器。
【請求項３】
前記ベース部材の背後に表示装置が配置され、この表示装置に対応する前記母材領域に貫通部が設けられることを特徴とする請求項１記載の指針式計器。
【請求項４】
前記支持部と前記支承部を少なくとも一つずつ有し、これら前記支持部と前記支承部とが連結部を介して連続することを特徴とする請求項１記載の指針式計器。
【請求項５】
前記支持部と前記支承部のうち少なくとも一方を複数有し、これら支持部または支承部が連結部を介して連続することを特徴とする請求項１記載の指針式計器。
【発明の詳細な説明】
【技術分野】
【０００１】
本発明は、例えば自動車を代表とする車両に搭載される指針式計器に関し、特に指針の仮想回転中心を含む指標板の中央領域に、貫通部または透明部からなる透視部が形成され、この透視部を通じて指標板の背後に配置される表示装置を視認させると共に、透視部の外周にて指針式表示を行う指針式計器に関する。
【背景技術】
【０００２】
従来、この種の指針式計器として、例えば下記特許文献１に記載のものが知られている。この指針式計器は、中央領域に透視部が形成された指標板と、透視部に臨む指標板の背後位置に配置された表示装置との間に、指針を搭載すると共に外周にギヤ列が設けられたリング状の移動部材を設け、この移動部材のギヤ列に噛み合う歯車とこの歯車を回転させる駆動軸とを有し、この駆動軸を通じて歯車を回転させることにより指標板上に位置する指針を指標部に沿って回転移動させる駆動装置とを備えており、指針式表示にあっては本来デッドスペースとなる中央領域を比較的広面積の情報表示スペースとして活用することができ、スペース効率がよく視認性にも優れるといった利点がある。
【特許文献１】特開２０００−１３１０９９号公報
【発明の開示】
【発明が解決しようとする課題】
【０００３】
前記特許文献１記載の指針式計器は、移動部材を複数の支持部で支持しているが、支持部自体の材質や性質、支持部の支持、支承構造については記載されていない。
ところでこの種の指針式計器にあっては、合成樹脂部品が多用されており、合成樹脂部品を通じて移動部材を直接または間接的に支持することが考えられる。
しかしながら、合成樹脂部品にて移動部材を支持する場合、冷熱サイクルに伴う寸法変化の問題、剛性に関する問題等があり、これらの問題に対処するために、合成樹脂部品の厚みを大きくしなければならず、装置が大型化するという不都合があった。また支持部品の材質を金属にすることが考えられるが、移動部材との接触や接触部の支承、支承のための部品取付といった移動部材の支持性を考慮すると、合成樹脂の方が好ましいという事情があった。
そこで本発明は、前述の課題に対処するため、合成樹脂の利点を生かしながら装置の大型を避けることが可能な指針式計器を提供することを目的とするものである。
【課題を解決するための手段】
【０００４】
本発明は、前記目的を達成するため、指針と、この指針の移動経路に沿って配列された指標部を有する指標板と、前記指針を支持する移動部材と、この移動部材を介して前記指針を移動させる駆動装置と、前記移動部材を移動可能に支持するベース部材とを備え、前記ベース部材が金属製板材からなる母材とこの母材を部分的に被覆する合成樹脂との複合体からなり、前記合成樹脂部分により前記移動部材を支持する支持部あるいは前記移動部材を支持するための支持部材を支承する支承部の少なくとも一方が形成されることを特徴とする。
【０００５】
また本発明は、前記母材の外周を折り曲げて補強部を設けたことを特徴とする。
【０００６】
また本発明は、前記ベース部材の背後に表示装置が配置され、この表示装置に対応する前記母材領域に貫通部が設けられることを特徴とする。
【０００７】
また本発明は、前記支持部と前記支承部を少なくとも一つずつ有し、これら前記支持部と前記支承部とが連結部を介して連続することを特徴とする。
【０００８】
また本発明は、前記支持部と前記支承部のうち少なくとも一方を複数有し、これら支持部または支承部が連結部を介して連続することを特徴とする。
【発明の効果】
【０００９】
本発明によれば、初期の目的を達成でき、合成樹脂の利点を生かしながら装置の大型を避けることが可能な指針式計器を提供することを目的とするものである。
【発明を実施するための最良の形態】
【００１０】
以下、図面に基づいて本発明による指針式計器の実施形態について説明する。図１〜図７は、本発明の一実施形態を示すもので、図１は本実施形態による指針式計器の正面図、図２は図１中、指標板を取り外した際の正面図、図３は図２中、移動部材と支持部材を除いた際の正面図、図４は支持部材の背面図、図５は図２のＡ−Ａ断面図、図６は図２のＢ−Ｂ断面図、図７は図２のＣ−Ｃ断面図である。
【００１１】
本実施形態による指針式計器は、図１及び図２に示すように、指標板１と、この指標板１の背後に配置される移動部材２と、この移動部材２に装着される指針３と、移動部材３の背後に配置されて移動部材２を直接及び間接的に支持するベース部材４と、移動部材２を回転移動させる駆動装置５と、観察者に所定情報を表示する表示装置６と、この表示装置６の背後に配置される回路基板７とを備えている。
【００１２】
指標板１は、略中央領域に貫通孔からなる透視部１１を有し、この透視部１１の外周には、指針３の移動経路に沿って円弧状に配列された文字や目盛等の指標部１２を備えている。これら指標部１２は、指標板１を構成する合成樹脂板からなる基材上にスクリーン印刷等の手段により形成されている。
【００１３】
移動部材２は、閉じられたリング形状に形成された合成樹脂体からなり、その内周には駆動装置５を通じて駆動される後述する回転部材に噛み合うギヤ列（第１のギヤ列）２１と、駆動装置５の後述する規制手段及び支持部材と接触する接触部２２がそれぞれ形成されており、本例の場合、ギヤ列２１は接触部２２よりも背後側で内側に突出するように設けられている。
【００１４】
指針３は、線状の合成樹脂体からなり、その先端が中心側を向くように移動部材２に装着固定され、移動部材２と共に回動して指標部１１を指示する。なお指針３と指標部１１は、光透過性を有し、図示しない光源からの光を受けて発光するものである。
【００１５】
ベース部材４は、金属と合成樹脂との複合体からなり、図示しないスペーサ等を通じて回路基板７上に設置されている。このベース部材４は、金属製円板からなる母材部（金属部）４１と、この母材部４２の一部（複数箇所）を部分的に被覆するようにアウトサート成形（母材部４１となる金属材を金型内にセットした後、金属材の必要箇所に樹脂を射出成形し、合成樹脂部を形成する）により形成された合成樹脂部４２とを備える。
【００１６】
母材部４１は、図３，図４にも示すように、指標板１の透視部１１及び表示装置６に対応する貫通部４３と、移動部材２と駆動部材５との連結を可能にするために駆動装置５を露出させる露出部４４とを有すると共に、外周部が略９０度背後側に折り曲げられることにより補強部４５が形成されている。なお孔状の貫通部４３及び露出部４４と折曲部状の補強部４５は、プレス成形により形成されている。
【００１７】
合成樹脂部４２は、移動部材２を接触支持する支持箇所及び当該支持箇所を支承する支承箇所となるもので、移動部材２と直接接触し、これを支持する支持部４２ａを形成すると共に、移動部材２と直接接触してこれを支持するための支持部材８ａ，８ｂを支承する支承部４２ｂと、支持部４２ａや支承部４２ｂを繋ぐ連結部４２ｃ（図４参照）と形成している。
【００１８】
すなわち支持部４２ａは、図５，図７に詳しく示すように、移動部材２の底面に点接触するスラスト方向支持部を構成する。
【００１９】
また支承部４２ｂは、図５に詳しく示すように、柔軟性合成ゴムまたは合成樹脂からなり、移動部材２の接触部２２に接触して移動部材２のラジアル方向支持部を構成するガイドローラ８１と、このガイドローラ８１を回転可能に軸支する例えば金属製の軸部８２とで構成される支持部材８ａのうち、軸部８２を直接固定支持し、ガイドローラ８１を間接的に支持することにより、支持部材８ａを支承する。
【００２０】
さらに支承部４２ｂは、図６に詳しく示すように、ガイドローラ８１と同一部品である他のガイドローラ８３と、このガイドローラ８３を常時、移動部材２の外側に付勢する押圧移動手段（付勢手段）８４とで構成される支持部材８ｂのうち、押圧移動手段８４の一部を直接支持固定し、ガイドローラ８３を間接的に支持することにより、支持部材８ｂを支承する。
【００２１】
この場合、押圧移動手段８４は、支承部４２ｂに直接圧入固定される金属製の軸部８５と、この軸部８５に固定された例えば合成樹脂からなるアーム部８６と、このアーム部８６に固定された金属製の軸部８７と、アーム部８６に支持されるガイドローラ８３を常時、移動部材２の外側に付勢するコイルスプリングからなる付勢部材８８とで構成されている。
【００２２】
また連結部４２ｃ（図４参照）は、アウトサート成形により支持部４２ａや支承部４２ｂを形成する際に合成樹脂の通り道となる（なった）箇所であり、このように連結部４２ｃを設定することにより、金型に形成するゲートの数を削減でき、金型自体の構成を簡素化できると共に、成形作業の容易化も達成できるものである。
【００２３】
駆動装置５は、例えばステッピングモータからなり、図７に詳しく示すように、回路基板７上に接続固定されている。駆動装置５の駆動軸５１は、前方に延びており、回転部材５２と、規制手段５３とが設けられている。
【００２４】
回転部材５２は、その外周に移動部材２のギヤ列２１に噛み合うギヤ列（第２のギヤ列）５４を有する合成樹脂体からなり、駆動軸５１と共に回転するよう固定されている。
【００２５】
規制手段５３は、回転部材５２よりも大きな外径を有する合成樹脂体からなり、回転部材５２の前方に配置されて、移動部材２の接触部２２に接触して回転し、各ギヤ列２１，５４の噛み合い深さを規制することで、各ギヤ列２１，５４の噛み合い深さが深くなり過ぎ、駆動装置５に過大な負荷がかかったり、各ギヤ列２１，５４がロックすることを防止することができる。
【００２６】
なお本例では、回転部材５２と、規制手段５３とを別部品としたが、一体部品としてもよい。
【００２７】
表示装置６は、例えば液晶表示装置からなり、指標板１の透視部１１に臨むように、回路基板７上に搭載されており、例えば走行距離データや外気温データからなる計測情報やナビゲーション情報等を表示する。
【００２８】
このように構成された本実施形態の指針式計器は、駆動装置５の駆動軸５１が計測量に応じて回転するよう設定されており、駆動軸５１の回転によって回転部材５２が回転すると、回転部材５２のギヤ列５４に噛み合うギヤ列２１を有する移動部材２が回転移動し、移動部材２に設けた指針３が、表示装置６が臨む透視部１１の外周で指標部１２を指示する。
【００２９】
ここでベース部材４に注目すると、ベース部材４は、金属製板材からなる母材部４１と、この母材部４１を部分的に被覆する合成樹脂部４２とを有する異質材料の複合体からなり、母材部４１を金属とすることで部材自体の強度、剛性の維持または向上を図りながら薄型化を達成し、しかも母材部４１に合成樹脂部４２を部分形成することで移動部材２の支持性または支持部材８ａ，８ｂの支承性を確保または向上させている。
【００３０】
以上のように、本実施形態による指針式計器は、指針３と、この指針３の移動経路に沿って配列された指標部１２を有する指標板１と、指標部１２の配列形状に沿って延長形成され、指針３を支持する移動部材２と、この移動部材２を介して指針３を移動し、指標部１２を指示させる駆動装置５と、移動部材２を移動可能に支持するペース部材４とを備えており、ベース部材４が金属製板材からなる母材部４１とこの母材部４１を部分的に被覆する合成樹脂部４２とを有する複合体からなり、合成樹脂部４２により移動部材２を支持する支持部４２ａと、移動部材２を支持するための支持部材８ａ，８ｂを支承する支承部４２ｂを形成したことにより、合成樹脂の利点（移動部材２の支持性または支持部材８ａ，８ｂの支承性の確保または向上）を生かしながら、装置の大型を避ける（母材部４１を金属とすることでの部材自体の強度、剛性の維持または向上による薄型化の達成）ことができる。
【００３１】
また本実施形態では、母材部４１の外周を折り曲げて補強部を設けたことにより、ベース部材４の強度、剛性を向上させることができる。
【００３２】
また本実施形態では、ベース部材４の背後に表示装置６が配置され、この表示装置６に対応する母材部４１領域に貫通部４３が設けられ、さらに母材部４１には、駆動装置５の所要部を露出するための露出部４４が設けられている。このようにベース部材４が貫通部４３や露出部４４からなる孔を有する場合、強度が低下しやすいが、本実施形態では、母材部４１が金属からなることにより、ベース部材４の強度を確保できる。
【００３３】
また本実施形態では、合成樹脂部４２に連結部４２ｃを設けたことにより、金型自体の構成を簡素化できると共に、成形作業の容易化も達成できる。
【００３４】
図８は本発明の他の実施形態を示す断面図であり、本実施形態では、前記実施形態で使用した支持部材８ａ，８ｂを廃止し、合成樹脂部４２によって直接、移動部材２を支持するようにしたものである。
【００３５】
すなわち、合成樹脂部４２は、移動部材２の底部に点接触するスラスト方向支持部である支持部４２ａに加えて、フック形状の支持部４２０ａを有しており、この支持部４２０ａにて移動部材２の前面側におけるスラスト方向支持、及び移動部材２のラジアル方向支持を行っており、かかる本実施形態によっても前記実施形態と同様の効果を期待できる。
【００３６】
なお前記実施形態では、移動部材２を一定の剛性強度を持った合成樹脂を用いて閉じられた環状に形成したが、指針３を移動させることができれば、移動部材２の材質（性質）や形状は任意であり、例えば移動部材２をゴム系ベルトやワイヤー等の柔軟性材料で形成し、図示しないガイドに沿わせて移動駆動するようにしてもよいし、円板状、部分円板状、部分円弧状や直線状、波線状等の形状に設定してもよい。
【図面の簡単な説明】
【００３７】
【図１】本発明の一実施形態による指針式計器の正面図である。
【図２】図１中、指標板を取り外した際の正面図である。
【図３】図２中、移動部材と支持部を除いた際の正面図である。
【図４】支持部材の背面図である。
【図５】図２のＡ−Ａ断面図である。
【図６】図２のＢ−Ｂ断面図である。
【図７】図２のＣ−Ｃ断面図である。
【図８】本発明の他の実施形態を示す断面図である。
【符号の説明】
【００３８】
１  指標板
２  移動部材
３  指針
４  ベース部材
５  駆動装置
６  表示装置
７  回路基板
８ａ  支持部材
８ｂ  支持部材
１１  透視部
１２  指標部
２１  ギヤ列（第１のギヤ列）
２２  接触部
４１  母材部
４２  合成樹脂部
４３  貫通部
４４  露出部
４５  補強部
４２ａ  支持部
４２ｂ  支承部
４２ｃ  連結部
５１  駆動軸
５２  回転部材
５３  規制手段
５４  ギヤ列（第２のギヤ列）
８１  ガイドローラ
８２  軸部
８３  ガイドローラ
８４  押圧移動手段（付勢手段）
８５，８７  軸部
８６  アーム部
８８  付勢部材
４２０ａ  支持部
【図１】
2006038801.tif 000003
【図２】
2006038801.tif 000004
【図３】
2006038801.tif 000005
【図４】
2006038801.tif 000006
【図５】
2006038801.tif 000007
【図６】
2006038801.tif 000008
【図７】
2006038801.tif 000009
【図８】
2006038801.tif 000010